(57)【要約】      （修正有）【課題】ねじ山が緊密に噛合される遊星型ねじ構造を提供する。【解決手段】遊星型ねじ構造１であって、ねじ１０、ナット２０及び遊星型ローラー３０を含む。ねじ１０は、雄ねじ部１１を含むとともに、雄ねじ部１１が第１ねじ山側凹部と第２ねじ山側凹部を含む。ナット２０は、雌ねじ部２１を含むとともに、雌ねじ部２１が第３ねじ山側凹部と第４ねじ山側凹部を含む。遊星型ローラー３０は、ねじ山部３１を含むとともに、ねじ山部３１が第１ねじ山側凸部と第２ねじ山側凸部を含む。また、第１ねじ山側凸部と第２ねじ山側凸部が第１ねじ山側凹部と第２ねじ山側凹部に係合するとともに、これと同期して、第１ねじ山側凸部と第２ねじ山側凸部が第３ねじ山側凹部と第４ねじ山側凹部に係合する。【選択図】図２
0003219847.tif 000002
【実用新案登録請求の範囲】
【請求項１】
雄ねじ部を含むとともに、当該雄ねじ部が第１ねじ山側凹部と第２ねじ山側凹部を含むねじ、
雌ねじ部を含むとともに、当該雌ねじ部が第３ねじ山側凹部と第４ねじ山側凹部を含むナット、及び
ねじ山部を含むとともに、当該ねじ山部が第１ねじ山側凸部と第２ねじ山側凸部を含む少なくとも１の遊星型ローラー、を含み、
当該第１ねじ山側凸部と当該第２ねじ山側凸部が当該第１ねじ山側凹部と当該第２ねじ山側凹部に係合するとともに、これと同期して、当該第１ねじ山側凸部と当該第２ねじ山側凸部が当該第３ねじ山側凹部と当該第４ねじ山側凹部に係合し、当該第３ねじ山基準線と第４ねじ山基準線の間に第２夾角が形成され、当該ねじ山部は第３夾角を有し、当該第２夾角は当該第３夾角と等しい、遊星型ねじ構造。
【請求項２】
雄ねじ部を含むとともに、当該雄ねじ部が第１ねじ山側凹部と第２ねじ山側凹部を含むねじ、
雌ねじ部を含むナット、及び
ねじ山部を含むとともに、当該ねじ山部が第１ねじ山側凸部と第２ねじ山側凸部を含む少なくとも１の遊星型ローラー、を含み、
当該第１ねじ山側凸部と当該第２ねじ山側凸部が当該第１ねじ山側凹部と当該第２ねじ山側凹部に係合するとともに、これと同期して、当該第１ねじ山側凸部と当該第２ねじ山側凸部が当該雌ねじ部に係合し、当該第３ねじ山基準線と第４ねじ山基準線の間に第２夾角が形成され、当該ねじ山部は第３夾角を有し、当該第２夾角は当該第３夾角と等しい、遊星型ねじ構造。
【請求項３】
雄ねじ部を含むねじ、及び
雌ねじ部を含むとともに、当該雌ねじ部が第３ねじ山側凹部と第４ねじ山側凹部を含むナット、及び
ねじ山部を含むとともに、当該ねじ山部が第１ねじ山側凸部と第２ねじ山側凸部を含む少なくとも１の遊星型ローラー、を含み、
当該第１ねじ山側凸部と当該第２ねじ山側凸部が当該雄ねじ部に係合するとともに、これと同期して、当該第１ねじ山側凸部と当該第２ねじ山側凸部が当該第３ねじ山側凹部と当該第４ねじ山側凹部に係合し、当該第３ねじ山基準線と第４ねじ山基準線の間に第２夾角が形成され、当該ねじ山部は第３夾角を有し、当該第２夾角は当該第３夾角と等しい、遊星型ねじ構造。
【請求項４】
当該雄ねじ部の第１ねじ山側凹部と第２ねじ山側凹部は第１凹面夾角を含み、当該ねじ山部の第１ねじ山側凸部と第２ねじ山側凸部は凸面夾角を含み、当該凸面夾角は当該第１凹面夾角よりも小さい、請求項１又は２記載の構造。
【請求項５】
当該雌ねじ部の第３ねじ山側凹部と第４ねじ山側凹部は第２凹面夾角を含み、当該ねじ山部の第１ねじ山側凸部と第２ねじ山側凸部は凸面夾角を含み、当該凸面夾角は当該第２凹面夾角よりも小さい、請求項１又は３記載の構造。
【請求項６】
当該ねじ山部は第３夾角を有し、当該第３夾角の角度は９０±５°である、請求項１〜３のいずれか１項記載の構造。
【請求項７】
当該雄ねじ部は第１ねじ山基準線及び第２ねじ山基準線を含み、当該第１ねじ山基準線と第２ねじ山基準線の間に第１夾角が形成され、当該第１夾角又は第２夾角は当該第３夾角と等しい、請求項１〜３のいずれか１項記載の構造。
【請求項８】
当該第１ねじ山側凹部は第１ねじ山側曲面に設けられ、当該第２ねじ山側凹部は第２ねじ山側曲面に設けられる、請求項１又は２記載の構造。
【請求項９】
当該第３ねじ山側凹部は第３ねじ山側曲面に設けられ、当該第４ねじ山側凹部は第４ねじ山側曲面に設けられる、請求項１又は３記載の構造。
【考案の詳細な説明】
【技術分野】
【０００１】
本考案は、遊星型ねじ構造及びその装置に関し、特に、ねじ山が緊密に噛合される遊星型ローラーねじ構造及びその装置に関する。
【背景技術】
【０００２】
従来の遊星型ねじ装置としては、例えば特許文献１の「Ｐｌａｎｅｔ  ｆｏｒ  ａ  ｐｌａｎｅｔａｒｙ  ｒｏｌｌｉｎｇ−ｃｏｎｔａｃｔ  ｓｃｒｅｗ」が、遊星型ねじ装置について開示している。遊星型ねじ装置は遊星型ローラー（ｐｌａｎｅｔａｒｙ  ｒｏｌｌｅｒ）を含み、当該遊星型ローラーは中間部を備える。当該中間部は、相対的に大きな直径を有し、両側端部は相対的に小さな直径を有する。当該中間部の一方の側面には第１係合断面が備えられ、当該側端部の一方の面には第２係合断面が備えられる。また、当該第１係合断面は、複数の第１歯部と複数の第１溝部を備える。
【０００３】
従来の他の遊星型ねじ装置としては、例えば特許文献２の「Ｎｕｔ  ｏｆ  ａ  ｐｌａｎｅｔａｒｙ  ｒｏｌｌｅｒ  ｓｃｒｅｗ  ｄｒｉｖｅ，ａｎｄ  ｍｅｔｈｏｄ  ｆｏｒ  ｐｒｏｄｕｃｉｎｇ  ｓｕｃｈ  ａ  ｎｕｔ」が遊星型ねじ装置について開示している。当該遊星型ねじ装置はナット（ｎｕｔ）を含み、当該ナットが、スリーブ（ｓｌｅｅｖｅ）、第１リング（ｒｉｎｇ）及び第２リングを備えている。また、当該ナット内において、当該第１リングと第２リングは縦方向に一定の距離を有している。当該第１リングが第１ねじ山部を備え、当該第２リングが第２ねじ山部を備えることで、当該第１ねじ山部と第２ねじ山部によって複数の遊星型ローラーが固定される。
【０００４】
従来の他の遊星型ねじ装置としては、例えば特許文献３の「Ｒｏｌｌｅｒ  ｓｃｒｅｗ」が遊星型ねじ装置を開示している。当該遊星型ねじ装置は、ねじ（ｓｃｒｅｗ）、ナット及び複数の遊星型ローラーを含む。当該ねじは雄ねじ部を備え、当該ナットは雌ねじ部を備える。また、当該複数の遊星型ローラーは、当該雄ねじ部と雌ねじ部の間に螺合するよう配置される。当該雄ねじ部はねじ山角度（ｏｐｅｎｉｎｇ  ａｎｇｌｅ）を有し、当該遊星型ローラーもねじ山角度を有する。また、当該雄ねじ部のねじ山角度は当該遊星型ローラーのねじ山角度よりも大きい。
【先行技術文献】
【特許文献】
【０００５】
【特許文献１】米国特許出願公開公報第２０１４／０３７８２７１号
【特許文献２】米国特許第９，１９４，４７０号
【特許文献３】米国特許第８，９４３，９２０号
【考案の概要】
【考案が解決しようとする課題】
【０００６】
本考案は、ねじ山噛合の緊密度を向上させるとともに、操作のなめらかさを向上させ、且つ操作ノイズを低減させるべく、ねじに雄ねじ部が設けられ、ナットに雌ねじ部が設けられ、当該雄ねじ部が第１ねじ山側凹部と第２ねじ山側凹部を含み、当該雌ねじ部が第３ねじ山側凹部と第４ねじ山側凹部を含み、少なくとも１の遊星型ローラーに第１ねじ山側凸部と第２ねじ山側凸部が設けられ、当該第１ねじ山側凸部と当該第２ねじ山側凸部が当該第１ねじ山側凹部と第２ねじ山側凹部に係合するとともに、当該第１ねじ山側凸部と当該第２ねじ山側凸部が当該第３ねじ山側凹部と当該第４ねじ山側凹部に係合する遊星型ねじ構造及びその装置を提供することを主たる目的とする。
【課題を解決するための手段】
【０００７】
本考案の実施例における遊星型ねじ構造は、雄ねじ部を含むとともに、当該雄ねじ部が第１ねじ山側凹部と第２ねじ山側凹部を含むねじ、雌ねじ部を含むとともに、当該雌ねじ部が第３ねじ山側凹部と第４ねじ山側凹部を含むナット、及びねじ山部を含むとともに、当該ねじ山部が第１ねじ山側凸部と第２ねじ山側凸部を含む少なくとも１の遊星型ローラー、を含み、当該第１ねじ山側凸部と当該第２ねじ山側凸部が当該第１ねじ山側凹部と当該第２ねじ山側凹部に係合するとともに、これと同期して、当該第１ねじ山側凸部と当該第２ねじ山側凸部が当該第３ねじ山側凹部と当該第４ねじ山側凹部に係合する。
【０００８】
本考案の実施例における遊星型ねじ構造は、雄ねじ部を含むとともに、当該雄ねじ部が第１ねじ山側凹部と第２ねじ山側凹部を含むねじ、雌ねじ部を含むナット、及びねじ山部を含むとともに、当該ねじ山部が第１ねじ山側凸部と第２ねじ山側凸部を含む少なくとも１の遊星型ローラー、を含み、当該第１ねじ山側凸部と当該第２ねじ山側凸部が当該第１ねじ山側凹部と当該第２ねじ山側凹部に係合するとともに、これと同期して、当該第１ねじ山側凸部と当該第２ねじ山側凸部が当該雌ねじ部に係合する。
【０００９】
本考案の実施例における遊星型ねじ構造は、雄ねじ部を含むねじ、及び雌ねじ部を含むとともに、当該雌ねじ部が第３ねじ山側凹部と第４ねじ山側凹部を含むナット、及び  ねじ山部を含むとともに、当該ねじ山部が第１ねじ山側凸部と第２ねじ山側凸部を含む少なくとも１の遊星型ローラー、を含み、当該第１ねじ山側凸部と当該第２ねじ山側凸部が当該雄ねじ部に係合するとともに、これと同期して、当該第１ねじ山側凸部と当該第２ねじ山側凸部が当該第３ねじ山側凹部と当該第４ねじ山側凹部に係合する。
【００１０】
当該雄ねじ部の第１ねじ山側凹部と第２ねじ山側凹部は第１凹面夾角を含み、当該ねじ山部の第１ねじ山側凸部と第２ねじ山側凸部は凸面夾角を含み、当該凸面夾角は当該第１凹面夾角よりも小さい。
【００１１】
当該雌ねじ部の第３ねじ山側凹部と第４ねじ山側凹部は第２凹面夾角を含み、当該ねじ山部の第１ねじ山側凸部と第２ねじ山側凸部は凸面夾角を含み、当該凸面夾角は当該第凹面夾角よりも小さい。
【００１２】
当該雄ねじ部は第１ねじ山基準線及び第２ねじ山基準線を含み、当該第１ねじ山基準線と第２ねじ山基準線の間に第１夾角が形成される。
【００１３】
当該雌ねじ部は第３ねじ山基準線及び第４ねじ山基準線を含み、当該第３ねじ山基準線と第４ねじ山基準線の間に第２夾角が形成される。
【００１４】
当該ねじ山部は第３夾角を有し、当該第３夾角の角度は９０±５°である。
【００１５】
当該雄ねじ部は第１ねじ山基準線及び第２ねじ山基準線を含み、当該第１ねじ山基準線と第２ねじ山基準線の間に第１夾角が形成され、当該雌ねじ部は第３ねじ山基準線及び第４ねじ山基準線を含み、当該第３ねじ山基準線と第４ねじ山基準線の間に第２夾角が形成され、当該ねじ山部は第３夾角を有し、当該第１夾角と第２夾角は当該第３夾角と等しい。
【００１６】
当該雄ねじ部は第１ねじ山基準線及び第２ねじ山基準線を含み、当該第１ねじ山基準線と第２ねじ山基準線の間に第１夾角が形成され、当該雌ねじ部は第３ねじ山基準線及び第４ねじ山基準線を含み、当該第３ねじ山基準線と第４ねじ山基準線の間に第２夾角が形成され、当該ねじ山部は第３夾角を有し、当該第１夾角又は第２夾角は当該第３夾角と等しい。
【００１７】
当該第１ねじ山側凹部は第１ねじ山側曲面に設けられ、当該第２ねじ山側凹部は第２ねじ山側曲面に設けられる。
【００１８】
当該第３ねじ山側凹部は第３ねじ山側曲面に設けられ、当該第４ねじ山側凹部は第４ねじ山側曲面に設けられる。
【図面の簡単な説明】
【００１９】
【図１】図１は、本考案の実施例における遊星型ねじ構造の斜視図である。
【図２】図２は、本考案の実施例における遊星型ねじ構造のナットの断面図である。
【図３】図３は、本考案の実施例における遊星型ねじ構造の遊星型ローラーの断面図である。
【図４】図４は、本考案の実施例における遊星型ねじ構造の遊星型ローラーの部分側面図である。
【図５】図５は、第１実施例の遊星型ねじ構造のねじにおける雄ねじを示す図である。
【図６】図６は、第１実施例の遊星型ねじ構造のねじにおける雄ねじが遊星型ローラーに対し緊密に螺合する場合を示す図である。
【図７】図７は、第２実施例の遊星型ねじ構造のナットにおける雌ねじを示す図である。
【図８】図８は、第２実施例の遊星型ねじ構造のナットにおける雌ねじが遊星型ローラーに対し緊密に螺合する場合を示す図である。
【考案を実施するための形態】
【００２０】
本考案の遊星型ねじ構造、その装置及び操作方法は、各種の遊星型ローラー（ｒｏｌｌｅｒ）におけるねじ構造、その装置及び操作方法、或いは、例えばゴシック式の遊星型ローラーねじといった他の関連する遊星型ローラーねじ機構に適用される。
【００２１】
図１及び図２に示すように、本考案の実施例における遊星型ねじ構造１は、ねじ（ｓｃｒｅｗ  ｒｏｄ）１０、ナット（ｎｕｔ  ｓｅｔ）２０及び複数の遊星型ローラー（ｐｌａｎｅｔａｒｙ  ｒｏｌｌｅｒ）３０を含む。また、当該ねじ１０、ナット２０及び複数の遊星型ローラー３０が適切に組み立てられることで、遊星型ローラーねじ装置が形成される。
【００２２】
図２及び図３に示すように、組み立て時には、当該ねじ１０が当該ナット２０に貫設され、当該複数の遊星型ローラー３０が当該ねじ１０の縦方向を包囲するように設けられる。また、当該複数の遊星型ローラー３０は、当該ねじ１０とナット２０の間に組み付けられる。
【００２３】
図２、図３及び図４に示すように、当該遊星型ローラー３０はねじ山部３１を含む。当該ねじ山部３１は、第１ねじ山側凸部（又は凸部領域）と、第２ねじ山側凸部（又は凸部領域）を含み、当該第１ねじ山側凸部と第２ねじ山側凸部は凸面夾角θ１（図４）を有する。また、当該第１ねじ山側凸部と第２ねじ山側凸部は、構造全体を強化すべく、少なくとも一層又は複数層の熱処理層又は類似の機能層を備える。また、当該凸面夾角θ１に対して、当該第１ねじ山側凸部は最上部領域を有し、当該第２ねじ山側凸部もまた他の最上部領域を有する。且つ、当該最上部領域は当該熱処理層に対応して位置する。
【００２４】
図２、図３及び図４に示すように、当該ねじ山部３１は第１側曲面３１ａ及び第２側曲面３１ｂを備える。また、当該第１ねじ山側凸部と第２ねじ山側凸部は、第１側曲面３１ａ及び第２側曲面３１ｂにそれぞれ設けられる。また、当該ねじ山部３１の第１側曲面３１ａ及び第２側曲面３１ｂは基準線を有し、当該第１側曲面３１ａの基準線と第２側曲面３１ｂの基準線の間に夾角θが形成される。また、当該夾角θの角度は適切な角度とされる。
【００２５】
図２、図３及び図５に示すように、第１実施例の当該ねじ１０は雄ねじ部１１を含む。当該雄ねじ部１１は、第１ねじ山側凹部（又は凹部領域）と、第２ねじ山側凹部（又は凹部領域）を含み、当該第１ねじ山側凹部と第２ねじ山側凹部は凹面夾角α１（図５）を有する。また、当該第１ねじ山側凹部と第２ねじ山側凹部は、少なくとも一層又は複数層の熱処理層又は類似の機能層を備える。また、当該凹面夾角α１に対して、当該第１ねじ山側凹部は、当該遊星型ローラー３０の第１ねじ山側凸部に対応するように最低凹部領域を有する。且つ、当該第２ねじ山側凹部もまた、当該遊星型ローラー３０の第２ねじ山側凸部に対応するように最低凹部領域を有する。図５の断面線に示すように、当該最低凹部領域は当該熱処理層に位置する。
【００２６】
図２、図３及び図５に示すように、当該雄ねじ部１１は第１ねじ山基準線及び第２ねじ山基準線を含み、当該第１ねじ山基準線と第２ねじ山基準線の間に夾角αが形成される。また、当該夾角αの角度は適切な角度とされる。このほか、当該雄ねじ部１１は、第１ねじ山側曲面１１ａ及び第２ねじ山側曲面１１ｂを備え、当該第１ねじ山側凹部が当該第１ねじ山側曲面１１ａに設けられるとともに、当該第２ねじ山側凹部が当該第２ねじ山側曲面１１ｂに設けられる。
【００２７】
図２、図３、図４、図５及び図６に示すように、組み立て時には、当該遊星型ローラー３０のねじ山部３１における第１ねじ山側凸部が、図６の左側矢印に示すように、当該ねじ１０の雄ねじ部１１における第１ねじ山側凹部に緊密に係合する。これに同期して、当該遊星型ローラー３０のねじ山部３１における第２ねじ山側凸部は、図６の右側矢印に示すように、当該ねじ１０の雄ねじ部１１における第２ねじ山側凹部に緊密に係合する。
【００２８】
更に、本考案の第１実施例では、当該遊星型ローラーねじ装置の組み立てを完了すべく、当該遊星型ローラー３０のねじ山部３１における第１ねじ山側凸部と第２ねじ山側凸部を、当該ナット２０における２つの雌ねじ表面に直接係合させることを選択してもよい。また、当該２つの雌ねじ表面としては、通常の雌ねじ表面又は雌ねじ平面が選択される。
【００２９】
図４、図５及び図６に示すように、本考案の他の実施例における遊星型ねじ構造では、当該第１ねじ山側凸部と第２ねじ山側凸部の凸面夾角θ１が、当該第１ねじ山側凹部と第２ねじ山側凹部の凹面夾角α１よりもやや小さい。この場合、操作時において、当該遊星型ローラー３０のねじ山部３１における第１ねじ山側凸部と第２ねじ山側凸部は、図６の湾曲矢印方向のように、当該ねじ１０の雄ねじ部１１における第１ねじ山側凹部と第２ねじ山側凹部に沿ってスライド調整が可能となる。
【００３０】
図２、図３及び図７に示すように、第２実施例の当該ナット２０は雌ねじ部２１を含む。当該雌ねじ部２１は、第３ねじ山側凹部（又は凹部領域）と、第４ねじ山側凹部（又は凹部領域）を含み、当該第３ねじ山側凹部と第４ねじ山側凹部は凹面夾角β１（図７）を有する。また、当該第３ねじ山側凹部と第４ねじ山側凹部は、少なくとも一層又は複数層の熱処理層又は類似の機能層を備える。このほか、当該凹面夾角β１に対して、当該第３ねじ山側凹部は最低凹部領域を有し、当該第４ねじ山側凹部もまた他の最低凹部領域を有する。且つ、当該最低凹部領域は当該熱処理層に対応して位置する。
【００３１】
図２、図３及び図７に示すように、当該雌ねじ部２１は第３ねじ山基準線及び第４ねじ山基準線を含み、当該第３ねじ山基準線と第４ねじ山基準線の間に夾角βが形成される。また、当該夾角βの角度は適切な角度とされる。このほか、当該雌ねじ部２１は、第３ねじ山側曲面２１ａ及び第４ねじ山側曲面２１ｂを備え、当該遊星型ローラー３０の第１ねじ山側凸部に対応するように、当該第３ねじ山側凹部が当該第３ねじ山側曲面２１ａに設けられる。また、当該遊星型ローラー３０の第２ねじ山側凸部に対応するように、当該第４ねじ山側凹部が当該第４ねじ山側曲面２１ｂに設けられる。
【００３２】
図２、図３、図４、図７及び図８に示すように、組み立て時には、当該遊星型ローラー３０のねじ山部３１における第１ねじ山側凸部が、図８の左側矢印に示すように、当該ナット２０の雌ねじ部２１における第３ねじ山側凹部に緊密に係合する。これに同期して、当該遊星型ローラー３０のねじ山部３１における第２ねじ山側凸部は、図８の右側矢印に示すように、当該ナット２０の雌ねじ部２１における第４ねじ山側凹部に緊密に係合する。
【００３３】
更に、本考案の第２実施例では、当該遊星型ローラーねじ装置の組み立てを完了すべく、当該遊星型ローラー３０のねじ山部３１における第１ねじ山側凸部と第２ねじ山側凸部を、当該ねじ１０における２つの雄ねじ表面に直接係合させることを選択してもよい。また、当該２つの雄ねじ表面としては、通常の雄ねじ表面又は雄ねじ平面が選択される。
【００３４】
図４、図７及び図８に示すように、本考案の他の実施例における遊星型ねじ構造では、当該第１ねじ山側凸部と第２ねじ山側凸部の凸面夾角θ１が、当該第３ねじ山側凹部と第４ねじ山側凹部の凹面夾角β１よりもやや小さい。この場合、操作時において、当該遊星型ローラー３０のねじ山部３１における第１ねじ山側凸部と第２ねじ山側凸部は、図８の湾曲矢印方向のように、当該ナット２０の雌ねじ部２１における第３ねじ山側凹部と第４ねじ山側凹部に沿ってスライド調整が可能となる。
【００３５】
図２、図３、図４、図６及び図８に示すように、本考案の第３実施例では、当該遊星型ローラー３０のねじ山部３１における第１ねじ山側凸部と第２ねじ山側凸部を、図６に示すように、当該ねじ１０の雄ねじ部１１における第１ねじ山側凹部と第２ねじ山側凹部に緊密に係合することが選択される。また、これに同期して、当該遊星型ローラー３０のねじ山部３１における第１ねじ山側凸部と第２ねじ山側凸部を、図８に示すように当該ナット２０の雌ねじ部２１における第３ねじ山側凹部と第４ねじ山側凹部に緊密に係合することが選択される。
【００３６】
本考案の別の実施例では、当該雄ねじ部１１の夾角α又は雌ねじ部２１の夾角βのいずれかを当該ねじ山部３１の夾角θと等しくするか、或いは、当該雄ねじ部１１の夾角α及び雌ねじ部２１の夾角βを当該ねじ山部３１の夾角θと等しくすることが選択される。
【００３７】
本考案の別の実施例では、当該雄ねじ部１１の夾角α又は雌ねじ部２１の夾角βのいずれかを当該ねじ山部３１の夾角θよりやや小さくするか、或いは、当該雄ねじ部１１の夾角α及び雌ねじ部２１の夾角βを当該ねじ山部３１の夾角θよりやや小さくすることが選択される。
【００３８】
当該雄ねじ部１１の第１ねじ山側曲面１１ａと第２ねじ山側曲面１１ｂの接続端部、及び当該ねじ山部３１の第１側曲面３１ａと第２側曲面３１ｂによって潤滑油の循環経路Ａが形成されることで、操作の滑らかさが向上するとともに、操作ノイズが低減される。同様に、当該雌ねじ部２１の第３ねじ山側曲面２１ａと第４ねじ山側曲面２１ｂの接続端部、及び当該ねじ山部３１の第１側曲面３１ａと第２側曲面３１ｂによって、潤滑油の循環経路Ａが形成される。
【符号の説明】
【００３９】
１      遊星型ねじ構造
１０    ねじ
１１    雄ねじ部
１１ａ  第１ねじ山側曲面
１１ｂ  第２ねじ山側曲面
２０    ナット
２１    雌ねじ部
２１ａ  第３ねじ山側曲面
２１ｂ  第４ねじ山側曲面
３０    遊星型ローラー
３１    ねじ山部
３１ａ  第１側曲面
３１ｂ  第２側曲面
Ａ      潤滑油の循環経路
【図１】
0003219847.tif 000003
【図２】
0003219847.tif 000004
【図３】
0003219847.tif 000005
【図４】
0003219847.tif 000006
【図５】
0003219847.tif 000007
【図６】
0003219847.tif 000008
【図７】
0003219847.tif 000009
【図８】
0003219847.tif 000010
【手続補正書】
【提出日】平成30年11月22日(2018.11.22)
【手続補正１】
【補正対象書類名】実用新案登録請求の範囲
【補正対象項目名】全文
【補正方法】変更
【補正の内容】
【実用新案登録請求の範囲】
【請求項１】
雄ねじ部を含むとともに、当該雄ねじ部が第１ねじ山側凹部と第２ねじ山側凹部を含むねじ、
雌ねじ部を含むとともに、当該雌ねじ部が第３ねじ山側凹部と第４ねじ山側凹部を含むナット、及び
ねじ山部を含むとともに、当該ねじ山部が第１ねじ山側凸部と第２ねじ山側凸部を含む少なくとも１の遊星型ローラー、を含み、
当該第１ねじ山側凸部と当該第２ねじ山側凸部が当該第１ねじ山側凹部と当該第２ねじ山側凹部に係合するとともに、これと同期して、当該第１ねじ山側凸部と当該第２ねじ山側凸部が当該第３ねじ山側凹部と当該第４ねじ山側凹部に係合し、当該雌ねじ部は第３ねじ山基準線及び第４ねじ山基準線を含み、当該第３ねじ山基準線と第４ねじ山基準線の間に第２夾角が形成され、当該ねじ山部は第３夾角を有し、当該第２夾角は当該第３夾角と等しい、遊星型ねじ構造。
【請求項２】
雄ねじ部を含むとともに、当該雄ねじ部が第１ねじ山側凹部と第２ねじ山側凹部を含むねじ、
雌ねじ部を含むナット、及び
ねじ山部を含むとともに、当該ねじ山部が第１ねじ山側凸部と第２ねじ山側凸部を含む少なくとも１の遊星型ローラー、を含み、
当該第１ねじ山側凸部と当該第２ねじ山側凸部が当該第１ねじ山側凹部と当該第２ねじ山側凹部に係合するとともに、これと同期して、当該第１ねじ山側凸部と当該第２ねじ山側凸部が当該雌ねじ部に係合し、当該雌ねじ部は第３ねじ山基準線及び第４ねじ山基準線を含み、当該第３ねじ山基準線と第４ねじ山基準線の間に第２夾角が形成され、当該ねじ山部は第３夾角を有し、当該第２夾角は当該第３夾角と等しい、遊星型ねじ構造。
【請求項３】
雄ねじ部を含むねじ、及び
雌ねじ部を含むとともに、当該雌ねじ部が第３ねじ山側凹部と第４ねじ山側凹部を含むナット、及び
ねじ山部を含むとともに、当該ねじ山部が第１ねじ山側凸部と第２ねじ山側凸部を含む少なくとも１の遊星型ローラー、を含み、
当該第１ねじ山側凸部と当該第２ねじ山側凸部が当該雄ねじ部に係合するとともに、これと同期して、当該第１ねじ山側凸部と当該第２ねじ山側凸部が当該第３ねじ山側凹部と当該第４ねじ山側凹部に係合し、当該雌ねじ部は第３ねじ山基準線及び第４ねじ山基準線を含み、当該第３ねじ山基準線と第４ねじ山基準線の間に第２夾角が形成され、当該ねじ山部は第３夾角を有し、当該第２夾角は当該第３夾角と等しい、遊星型ねじ構造。
【請求項４】
当該雄ねじ部の第１ねじ山側凹部と第２ねじ山側凹部は第１凹面夾角を含み、当該ねじ山部の第１ねじ山側凸部と第２ねじ山側凸部は凸面夾角を含み、当該凸面夾角は当該第１凹面夾角よりも小さい、請求項１又は２記載の構造。
【請求項５】
当該雌ねじ部の第３ねじ山側凹部と第４ねじ山側凹部は第２凹面夾角を含み、当該ねじ山部の第１ねじ山側凸部と第２ねじ山側凸部は凸面夾角を含み、当該凸面夾角は当該第２凹面夾角よりも小さい、請求項１又は３記載の構造。
【請求項６】
当該ねじ山部は第３夾角を有し、当該第３夾角の角度は９０±５°である、請求項１〜３のいずれか１項記載の構造。
【請求項７】
当該雄ねじ部は第１ねじ山基準線及び第２ねじ山基準線を含み、当該第１ねじ山基準線と第２ねじ山基準線の間に第１夾角が形成され、当該第１夾角又は第２夾角は当該第３夾角と等しい、請求項１〜３のいずれか１項記載の構造。
【請求項８】
当該第１ねじ山側凹部は第１ねじ山側曲面に設けられ、当該第２ねじ山側凹部は第２ねじ山側曲面に設けられる、請求項１又は２記載の構造。
【請求項９】
当該第３ねじ山側凹部は第３ねじ山側曲面に設けられ、当該第４ねじ山側凹部は第４ねじ山側曲面に設けられる、請求項１又は３記載の構造。